【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
ユーザがアクセスしたウェブサイトが提供する１または複数のサービスに関する情報を記述する領域を提供するコントローラの機能をコンピュータに実行させるコンピュータ実行可能命令を格納する１または複数のコンピュータ可読記録媒体であって、
前記１または複数のサービスは、検索エンジンによる検索機能を提供すること、インストールのためのツールバーを提供すること、ＲＳＳフィードなどのフィードを提供すること、構築されたデータを提供すること、および拡張機能を提供すること、などのサービスのうちの少なくとも一つを含み得、
前記情報は、前記１または複数のサービスの、それぞれのタイプ、それぞれの名前、それぞれのソース、それぞれのユーザネームおよびそれぞれに任意に関連するリスト化されたパスワードなどを含み得、
前記領域は、前記情報をユーザに通知するユーザインターフェースであり得、
前記コントローラは、コンピュータによって実行されるとき、前記コンピュータに、
前記ウェブサイトが前記１または複数のサービスを提供するか否かを判定するステップと、
前記領域を表示するステップと、
前記ウェブサイトが１または複数のサービスを提供すると判定された場合、前記領域に前記情報を記述するステップと
を実行させることを特徴とする１または複数のコンピュータ可読記録媒体。
【請求項２】
前記一体化された発見コントローラが、前記１または複数のサービスを前記ウェブサイトからダウンロードして前記コンピュータに追加、更新及び、前記コンピュータからアンインストールすることをユーザに可能とさせることを特徴とする請求項１に記載の１または複数のコンピュータ可読記録媒体。
【請求項３】
前記コントローラを使用してユーザが１または複数のサービスを前記ウェブサイトからダウンロードしてコンピュータに追加した場合、前記一体化された発見コントローラが、視覚的に識別可能な方法で表示された、前記追加された１または複数のサービスのコントローラと視覚的にオーバーレイしたインジケータを提供して、前記追加された１または複数のサービスはがユーザインターフェース内のどこに見出されるで発見可能であるかをユーザに視覚的に通知することを特徴とする請求項１に記載の１または複数のコンピュータ可読記録媒体。
【請求項４】
前記一体化された発見コントローラが、前記ユーザがアクセスしたウェブサイトのサービスを提供可能なウェブページのウェブページ記述に、前記ユーザがアクセスしたウェブサイトは１または複数のサービスを提供するか否かを判定する情報が記載されているかを分析することによって前記１または複数の様々なサービスを発見することを特徴とする請求項１に記載の１または複数のコンピュータ可読記録媒体。
【請求項５】
前記一体化された発見コントローラが、前記ユーザがアクセスしたウェブサイトが１または複数のサービスを提供する場合、前記１または複数のサービスの存在を表示可能なサービスボタンを含む、ユーザインターフェースコンポーネントを表示し、前記ボタンは、前記１または複数のサービスの存在をユーザに対して視覚的に通知することを特徴とする請求項１に記載の１または複数のコンピュータ可読記録媒体。
【請求項６】
前記コントローラが、ユーザが前記サービスボタン上にカーソルを置いたことに対応してが、前記ウェブサイトによって提供される前記１または複数のた様々なサービスの前記情報のリストを内に表示するステップを前記コンピュータに実行させることを特徴とする請求項５に記載の１または複数のコンピュータ可読記録媒体。
【請求項７】
前記コントローラが、前記１または複数の様々なサービスをが、前記１または複数のサービスがそれぞれ属する１または複数の異なるサービスタイプカテゴリ内に配するステップを前記コンピュータに実行させ、され、１または複数の新しいサービスが前記１または複数のサービスに含まれている場合、前記コントローラが、前記１または複数の新しいサービスが属する少なくともいくつかの前記１または複数の異なるサービスタイプカテゴリの前記リストを表示するステップを前記コンピュータに実行させ、前記１または複数のサービスタイプカテゴリの情報は、前記１または複数のサービスタイプカテゴリの名前を含み得るが、新しいサービスを視覚的に表示し得ることを特徴とする請求項６に記載の１または複数のコンピュータ可読記録媒体。
【請求項８】
前記コントローラが、表示された前記リスト内にが、ユーザに前記１または複数のサービスを管理することを可能とさせるユーザ選択可能タブを表示するステップを前記コンピュータに実行させるを含むことを特徴とする請求項６に記載の１または複数のコンピュータ可読記録媒体。
【請求項９】
前記ユーザ選択可能タブが選択されると、前記コントローラがダイアログを表示するように、前記タブはユーザによって選択されることができ、ダイアログを提供するために選択可能であり、
前記ダイアログは、
前記コンピュータが認証加入した前記１または複数のサービスのタイプ、名前、ソース及びユーザネームのうちの少なくともひとつによって前記１または複数のサービスをリスト化し、
前記コンピュータに前記１または複数のサービスの更新を受信可能とさせ、
前記コンピュータに前記１または複数のサービスを有効／無効にすることを可能とさせ、かつ
前記コンピュータに前記１または複数のサービスのアンインストールを可能とさせることを特徴とする請求項８に記載の１または複数のコンピュータ可読記録媒体。
【請求項１０】
前記ユーザ選択可能タブが、ユーザが加入している様々なサービスをリスト化して、ユーザがテキストベースの検索を使用して特定のサービスを検索するステップを前記コンピュータに実行させることを可能とさせ得る検索機能を提供することを特徴とする請求項８に記載の１または複数のコンピュータ可読記録媒体。
【請求項１１】
コントローラを用いて、ユーザがアクセスしたウェブサイトのウェブページ記述を解析し、前記ウェブサイトが提供する１または複数のサービスの有無を示す記述があるかを判定するステップであって、前記１または複数のサービスは、検索エンジンによる検索機能を提供する、インストールのためのツールバーを提供する、ＲＳＳフィードなどのフィードを提供する、構築されたデータを提供する、および拡張機能を提供する、などのサービスのうちの少なくとも一つを含み得る、ステップと、
前記コントローラを用いて、前記コントローラが提供する領域を表示させるステップであって、前記領域は前記ウェブサイトが提供する前記１または複数のサービスに関する情報および／または前記情報のリストを表示するユーザインターフェースであって、ユーザが認証した、前記１または複数のサービスを管理することをユーザに可能とさせるタブを含み、前記管理することは前記１または複数のサービスを前記ウェブサイトからダウンロードしてコンピュータに追加、更新及びアンインストールすることを含み、前記情報は前記１または複数のサービスの、それぞれのタイプ、それぞれの名前、それぞれのソース、それぞれのユーザネームおよびそれぞれに任意に関連するリスト化されたパスワードなどを含み得、前記リストは、前記１または複数のサービスの前記情報を、それぞれのタイプ、それぞれの名前、それぞれのソース、それぞれのユーザネームおよびそれぞれに任意に関連するリスト化されたパスワードなどのサービスタイプカテゴリに従ってリスト化したリストである、ステップと、
前記ウェブサイトが１または複数のサービスを提供すると判定された場合、前記コントローラを用いて、前記リストを作成するステップであって、前記サービスタイプカテゴリはユーザによって選択可能である、ステップと
を実行させるためのコンピュータ可読命令を有する１または複数のコンピュータ可読記録媒体を有することを特徴とするシステム。
【請求項１２】
前記コントローラを使用してユーザが１または複数のサービスを前記ウェブサイトからダウンロードしてコンピュータに追加した場合、前記一体化された発見コントローラが、視覚的に識別可能な方法で表示された、前記追加された１または複数のサービスのコントローラと視覚的にオーバーレイしたインジケータを提供するステップを前記コンピュータに実行させて、前記追加された１または複数のサービスの前記コントローラがユーザインターフェース内のどこに見出されるで発見可能であるかをユーザに視覚的に通知するステップを前記コンピュータに実行させることを特徴とする請求項１１に記載のシステム。
【請求項１３】
ユーザがアクセスしたウェブサイトが提供する１または複数のサービスの存在を、ユーザが前記ウェブサイト内を探索することなく発見しユーザインターフェースによってユーザに示す方法であって、
ユーザが前記ウェブサイトにアクセスすることによって、コンピュータが、前記ウェブサイトの、１または複数のウェブページ記述を受信するステップと、
前記ウェブページ記述の中に、前記ウェブサイトによって１または複数のサービスが提供されるか否かを示す記述を識別するステップであって、前記１または複数のサービスは、検索エンジンによる検索機能を提供する、インストールのためのツールバーを提供する、ＲＳＳフィードなどのフィードを提供する、構築されたデータを提供する、および拡張機能を提供する、などのサービスのうちの少なくとも一つを含み得る、ステップと、
前記ウェブサイトによって前記１または複数のサービスが提供されることを示す記述が識別された場合、前記ウェブサイトによって提供された前記１または複数のサービスの情報を記載する前記ユーザインターフェースを表示するステップであって、前記情報は前記１または複数のサービスの、それぞれのタイプ、それぞれの名前、それぞれのソース、それぞれのユーザネームおよびそれぞれに任意に関連するリスト化されたパスワードなどを含み得る、ステップと
を備えたことを特徴とする方法。
【請求項１４】
前記表示するステップは、前記１または複数のサービスを、前記１または複数のサービスがそれぞれ属する１または複数のサービスタイプカテゴリに配し、前記１または複数のサービスタイプカテゴリを前記複数の異なったサービスタイプカテゴリ内に様々なサービスを配するユーザインターフェースに表示するステップを含むことによって実行されることを特徴とする請求項１３に記載の方法。
【請求項１５】
前記表示するステップは、前記情報複数のサービスを表示するホバー表示されたドロップダウンメニューを表示するステップを含むことによって実行されることを特徴とする請求項１３に記載の方法。
【請求項１６】
前記１または複数のサービスが、前記１または複数のサービスがそれぞれ属する１または複数のサービスタイプカテゴリに配され、前記１または複数の異なったサービスタイプカテゴリ内に表示され、前記１または複数の提供されたサービスの個々のインスタンスが、前記１または複数の異なったサービスタイプカテゴリに基づいてユーザに対してリスト化され得ることを特徴とする請求項１５に記載の方法。
【請求項１７】
前記ドロップダウンメニューが、ユーザに前記１または複数のサービスを管理することを可能とさせるユーザ選択可能タブを含み、前記管理することは前記１または複数のサービスを前記ウェブサイトからダウンロードしてコンピュータに追加、更新及びアンインストールすることを含むことを特徴とする請求項１５に記載の方法。
【請求項１８】
前記受信するステップと、前記識別するステップと、前記表示するステップとが、少なくとも部分的にウェブブラウザを操作することによって実行されることを特徴とする請求項１３に記載の方法。